(57)【要約】      （修正有）【課題】樹木の葉や枝の剪定作業をする際に、剪定対象の枝の太さと関係なくバリカン式剪定装置を使用可能とするバリカン式剪定装置用の可動刃を提供する。【解決手段】板状体の両側の縁部に櫛状に突出して連続して配置された複数の刃部２０を形成し、各刃部２０に、２つの剪定用刃２１と、２つ剪定用刃２１の間に位置する１つの切断用刃２５と、を形成し、互いに隣接する２つの刃部２０どうしにおいて、一方の刃部２０の剪定用刃２１と、他方の刃部２０の剪定用刃２１と、を互いに対向させ、切断用刃２５に、２つの尖った歯２７を形成する。【選択図】図１
0003185548.tif 000002
【実用新案登録請求の範囲】
【請求項１】
バリカン式剪定装置に装着されて往復動する可動刃であって、
可動刃が往復動する方向に伸びる板状体と、当該板状体の両側の縁部に櫛状に突出して連続して配置された複数の刃部と、を有し、
各前記刃部は、２つの剪定用刃と、２つの当該剪定用刃の間に位置する１つの切断用刃と、を有しており、
可動刃が往復動する方向に互いに隣接する２つの前記刃部どうしにおいて、一方の前記刃部の前記剪定用刃と、他方の前記刃部の前記剪定用刃と、が互いに対向し、
前記切断用刃には、１つ又は複数個の尖った歯が形成されていることを特徴とするバリカン式剪定装置の可動刃。
【請求項２】
すべての前記歯には、前記板状体の表面側に向かって反りが形成されていることを特徴とする請求項１に記載のバリカン式剪定装置の可動刃。
【考案の詳細な説明】
【技術分野】
【０００１】
本考案は、樹木等を剪定したり切断したりする際に使用するバリカン式剪定装置の可動刃に関する。
【背景技術】
【０００２】
樹木の葉や枝を剪定する場合に使用する道具として、バリカン式剪定装置が開発されている（例えば、特許文献１を参照）。
このバリカン式剪定装置は、逆方向に往復駆動される第１および第２の駆動体と、これら第１および第２の駆動体と着脱自在に係合して一体に往復駆動される第１および第２の刈刃体と、これらの部材を摺動自在に挟持する着脱自在な一対のガイド板と、を備えている。
そして、樹木の葉や枝を第１刈刃体の刈刃と第２刈刃体の刈刃との間に挟みこむことによって、樹木の葉や枝が剪定される。
【先行技術文献】
【特許文献】
【０００３】
【特許文献１】特開２０１０−０００００１号公報
【考案の概要】
【考案が解決しようとする課題】
【０００４】
バリカン式剪定装置を使って樹木の葉や枝を剪定しようとする場合、その対象の枝は必ずしも細い枝ばかりではない。太い枝を切断しなければならない場合も頻繁に生じ得る。しかし、バリカン式剪定装置で太い枝を切断しようとしても、駆動源をなすモータに過大な負荷がかかって焼付く等してしまいやすい。このため、太い枝を切断する場合は、いちいちノコギリを使かわなければならず、作業者にとって煩雑な作業となり、作業効率も低下してしまう。
【０００５】
本考案は、上記問題を解決するものであり、その目的とするところは、樹木の葉や枝の剪定作業をする際に、剪定対象の枝の太さと関係なくバリカン式剪定装置を使用可能とするバリカン式剪定装置用の可動刃を提供することである。
【課題を解決するための手段】
【０００６】
本考案は、その課題を解決するために以下のような構成をとる。請求項１の考案に係るバリカン式剪定装置の可動刃は、バリカン式剪定装置に装着されて往復動する可動刃であって、可動刃が往復動する方向に伸びる板状体と、当該板状体の両側の縁部に櫛状に突出して連続して配置された複数の刃部と、を有し、各前記刃部は、２つの剪定用刃と、２つの当該剪定用刃の間に位置する１つの切断用刃と、を有しており、可動刃が往復動する方向に互いに隣接する２つの前記刃部どうしにおいて、一方の前記刃部の前記剪定用刃と、他方の前記刃部の前記剪定用刃と、が互いに対向し、前記切断用刃には、１つ又は複数個の尖った歯が形成されていることを特徴とする。
【０００７】
対をなす２枚の可動刃が、バリカン式剪定装置に装着される。バリカン式剪定装置に装着された２枚の可動刃は、それぞれ板状体の長手方向に往復動する。一方の可動刃が動く向きと、他方の可動刃が動く向きと、は、常に、反対の向きである。可動刃が往復動することによって、可動刃が有する刃部も一緒に往復動する。
【０００８】
２枚の可動刃を装着したバリカン式剪定装置を使って樹木の葉や細い枝等を剪定する場合、葉や細い枝等は、一方の可動刃の刃部の剪定用刃と、他方の可動刃の刃部の剪定用刃と、の間に挟まれ、両側の剪定用刃によって押し切られる。これは、公知のバリカン式剪定装置が樹木の葉や細い枝等を剪定する際の動きと同様である。
【０００９】
同時に、葉や細い枝等は、往復動している２枚の可動刃の刃部の切断用刃によって、切断されてしまう。
２つの剪定用刃の間に挟んで押し切ることが困難な太い枝等を切断しなければならない場合、往復動している２枚の可動刃の刃部の先端の切断用刃を、その太い枝等の切断すべき箇所に押し当てればよい。往復動する可動刃の刃部の切断用刃の歯が、太い枝等を徐々に削り、太い枝等は切断されてしまう。
【００１０】
したがって、２枚の可動刃を装着したバリカン式剪定装置を使うことによって、樹木の葉や細い枝を剪定できるのみならず、太い枝をも切断することができ、ノコギリを使う必要が無い。
【００１１】
請求項２の考案に係るバリカン式剪定装置の可動刃は、請求項１に記載のバリカン式剪定装置の可動刃であって、すべての前記歯には、前記板状体の表面側に向かって反りが形成されていることを特徴とする。
【００１２】
バリカン式剪定装置に２枚の可動刃を装着する際は、これらの可動刃の板状体の裏面どうしが対向して重ねあわさった状態となる。
バリカン式剪定装置で樹木の太い枝等を切断する場合、前述したように、２枚の可動刃の切断用刃の歯が、枝を削り、２枚の可動刃の刃部が枝に食い込み、溝が枝に形成される。
【００１３】
重ね合わさっている２枚の可動刃の刃部において、切断用刃が形成されている部分の厚さは、歯の反り量だけ、他の部分よりも厚くなっている。したがって、２枚の可動刃の切断用刃が枝に食い込むことによって形成される溝の幅は、重ね合わさっている２枚の可動刃における一方の可動刃の切断用刃の歯の先端から他方の可動刃の切断用刃の歯の先端までの幅となる。
【００１４】
２枚の可動刃の刃部が食い込んで形成される溝内において、溝の内面と接触するのは、殆ど刃部の切断用刃の歯だけである。刃部の他の部分と溝の内面との間には、隙間が存在する。このため、バリカン式剪定装置で樹木の太い枝等を切断する際、刃部のうち切断用刃の歯以外の部分と、溝の内面との間に生じる摩擦が小さくなり、太い枝等の切断がスームズにおこなわれることとなる。また、木屑も、溝の外へスムーズに排出される。
【考案の効果】
【００１５】
上記のようなバリカン式剪定装置用の可動刃であるので、剪定対象の枝の太さと関係なくバリカン式剪定装置を使用可能になる。
【図面の簡単な説明】
【００１６】
【図１】バリカン式剪定装置に装着された状態で重ね合わされた２枚の可動刃の部分構成図である。
【図２】図１のＩ−Ｉ線断面図である。
【図３】バリカン式剪定装置によって太い枝を切る際にできる溝の説明図である。
【図４】バリカン式剪定装置に装着された状態で重ね合わされた変形例に係る２枚の可動刃の部分構成図である。
【考案を実施するための形態】
【００１７】
本考案の実施の形態を図１から図３を参照しつつ説明する。
図１及び図２に示すように、可動刃１Ａ、１Ｂは、縦長に伸びる細長い板状体１０を有する。板状体１０の厚さはｄ１である。なお、図１において、可動刃１Ａの板状体１０の表面１１が、図１の表側に向いており、可動刃１Ｂの板状体１０の裏面１２が、図１の表側に向いている。
【００１８】
複数の刃部２０が、板状体１０の長手方向の縁部に櫛状に突出して配置されている。板状体１０の長手方向に隣接する刃部２０どうしのピッチ間隔は、Ｄとなっている。
刃部２０は、略台形をなして板状体１０から突出しており、刃部２０の縁には、２つの剪定用刃２１と、１つの切断用刃２５とが形成されている。
【００１９】
１つの刃部２０に形成された２つの剪定用刃２１は、略ハの字型をなしており、これら２つの剪定用刃２１の間隔は、刃部２０の基端側から先端側にかけて徐々に狭まっている。剪定用刃２１のなげし２２は、その剪定用刃２１が形成されている板状体１０の表面１１側に形成されている。
【００２０】
また、刃部２０の基端において、その刃部２０の一方の剪定用刃２１の端部から他方の剪定用刃２１の端部までの距離は、Ｄ／２となっている。図１においては、可動刃１Ａの板状体１０の長手方向に隣接する刃部２０どうし間に形成される谷部分から、可動刃１Ｂの刃部２０が見えている。
【００２１】
刃部２０の先端側において、２つの剪定用刃２１の間に、１つの切断用刃２５が位置している。切断用刃２５は、Ｖの字型の切欠きを有しており、このＶの字型の切欠きの両側に、尖った歯２７が形成されている。すなわち、１つの刃部２０は、２つの歯２７を有している。これら２つの歯２７の先端どうし間の距離は、Ｄ／２よりも小さい。
【００２２】
各歯２７は、その歯２７が形成されている板状体１０の表面１１側に向かって反りを有している。歯２７の反り量はｄ２である。また、歯２７のなげし２９は、その歯２７が形成されている板状体１０の裏面１２側に形成されている。
可動刃１Ａ、１Ｂは以上述べた構成を有している。次に、その作用効果について説明する。
【００２３】
可動刃１Ａ、１Ｂは、バリカン式剪定装置（図示せず）に、互いの裏面１２を対向させて重ね合わせ、且つ、それぞれの板状体１０の長手方向の中心線ＣＬを重ね合わせて、装着されている。
そして、バリカン式剪定装置が有する駆動機構によって、可動刃１Ａ、１Ｂは、それぞれ板状体の長手方向に往復動する。可動刃１Ａが動く向きと、可動刃１Ｂが動く向きと、は、常に、反対の向きである。可動刃１Ａ、１Ｂが往復動することによって、それぞれの刃部２０も一緒に往復動する。
【００２４】
先ず、作業者がバリカン式剪定装置によって樹木の葉や細い枝を剪定する場合について説明する。
葉や細い枝は、往復動する可動刃１Ａ、１Ｂの剪定用刃２１どうしの間に挟まれて、押し切られる。また、葉や細い枝は、往復動する可動刃１Ａ、１Ｂの切断用刃２５によっても、切断されてしまう。
【００２５】
次に、図３を参照しつつ、作業者がバリカン式剪定装置によって樹木の太い枝４０を切断する場合について説明する。
作業者は、枝４０に往復動する可動刃１Ａ、１Ｂの刃部２０の先端を押し当てる。先ず、枝４０の表面は、刃部２０の歯２７によって削られる。そして、刃部２０が枝４０に徐々に食い込み、溝４１が枝４０に形成される。可動刃１Ａ、１Ｂが重ね合わさっているので、溝４１の幅Ｗと、板状体１０の厚さｄ１と、歯２７の反り量ｄ２との間には次式（１）が成立する。
Ｗ＝２・（ｄ１＋ｄ２）      ・・・（１）
【００２６】
そして、刃部２０が枝４０に深く食い込み、溝４１の深さが深くなり、やがて枝４０は切断される。
可動刃１Ａの刃部２０と、可動刃１Ｂの刃部２０とが重なり合っている状態において、切断用刃２５以外の部分の刃部２０どうしが重なり合っている厚さは、２・ｄ１であり、溝４１の幅Ｗよりも２・ｄ２だけ小さい。したがって、溝４１の内面と接触するのは、殆ど切断用刃２５の歯２７の先端だけであり、刃部２０の他の部分と溝４１の内面との間にはわずかな隙間４２ができている。
【００２７】
このため、バリカン式剪定装置で枝４０を切断する際、刃部２０のうち切断用刃２５の歯２７以外の部分と、溝４１の内面との間に生じる摩擦が小さくなり、枝４０の切断がスムーズに行われる。また、枝４０の切断に伴って発生する木屑も、溝４１の外へ隙間４２から容易に排出される。
【００２８】
したがって、可動刃１Ａ、１Ｂを装着したバリカン式剪定装置によって、樹木の葉や細い枝の剪定のみならず、太い枝４０の切断もノコギリを使わずに行うことが可能である。
本実施の形態において、１つの刃部２０は、２つの歯２７を有しているとした。これに代えて、図４の変形例に示す構成とすることも可能である。
【００２９】
変形例に係る可動刃１Ｃ、１Ｄは、可動刃１Ａ、１Ｂと同様に板状体１０、刃部２０、剪定用刃２１を有する。ただし、可動刃１Ｃ、１Ｄの刃部２０が有する切断用刃２６は、以下の点で、可動刃１Ａ、１Ｂの切断用刃２５と構成を異にする。
ひとつの刃部２０の先端側において、２つの剪定用刃２１の間に、１つの切断用刃２６が位置している。切断用刃２６は、山形に尖った形状をなし、この山形に尖った部分が歯２８をなしている。すなわち、１つの刃部２０は、１つの歯２８を有している。
【００３０】
各歯２８は、その歯２８が形成されている板状体１０の表面１１側に向かって反りを有している。この歯２８の反り量はｄ２である。また、歯２８のなげし２９は、その歯２８が形成されている板状体１０の裏面１２側に形成されている。
なお、図４のＩＩ−ＩＩ線断面は、図１のＩ−Ｉ線断面と同様になるので図示を省略する。ただし、図４のＩＩ−ＩＩ線断面は、以下の点で図１のＩ−Ｉ線断面と異なる。すなわち、図４のＩＩ−ＩＩ線断面では、可動刃１Ａ、１Ｂの代わりに可動刃１Ｃ、１Ｄが見えるとともに、切断用刃２５と歯２７の代わりに切断用刃２６と歯２８が見えることとなる。
【００３１】
かかる構成を有する可動刃１Ｃ、１Ｄは、可動刃１Ａ、１Ｂと同様の作用・効果を奏する。
また、本実施の形態あるいは変形例において、１つの刃部２０が、３つ以上の歯を有しているとしても良い。
【００３２】
さらに、本実施の形態あるいは変形例において、切断用刃２５、２６の縁は直線状をなしているが、切断用刃２５、２６の縁が内側に湾曲していても良い。ただし、可動刃１Ａ、１Ｂ、１Ｃ、１Ｄは、それぞれ往復動するので、板状体１０を表面１１又は裏面１２から見たときに、切断用刃２５、２６が左右対称に形成されていることが好ましい。
【産業上の利用可能性】
【００３３】
上記のようなバリカン式剪定装置の可動刃であるので、樹木を扱う造園業等において有用である。
【符号の説明】
【００３４】
１Ａ、１Ｂ、１Ｃ、１Ｄ    可動刃
１０    板状体
１１    板状体の表面
１２    板状体の裏面
２０    刃部
２１    剪定用刃
２２    剪定用刃のなげし
２５、２６    切断用刃
２７、２８    歯
２９    歯のなげし
４０    枝
４１    溝
４２    隙間
ＣＬ    板状体の長手方向の中心線
Ｄ    刃部が形成されるピッチ間隔
ｄ１    板状体の厚さ
ｄ２    歯の反り量
Ｗ    溝の幅
【図１】
0003185548.tif 000003
【図２】
0003185548.tif 000004
【図３】
0003185548.tif 000005
【図４】
0003185548.tif 000006